(57)【要約】【課題】電球の形状が異なっても交換することができるようにする。【解決手段】電球交換器具１は、操作棒１０と、操作棒１０の先端に設けられて上向きに開口し、球状電球ＷＡと扁平電球ＷＢとを択一的に保持可能な椀状のヘッド２０と、を備え、ヘッド２０が、断面半円状に形成されて球状電球Ｗを保持する球状電球支持面２５ａと、球状電球支持面２５ａの上端縁２５ｂに設けられて扁平電球ＷＢを保持する扁平電球支持面２６ａと、球状電球支持面２５ａと扁平電球支持面２６ａとの内周の周方向に複数等間隔に設けられて球状電球支持面２５ａと扁平電球支持面２６ａとに択一的に保持された電球ＷＡ，ＷＢに接触する粘着部２２と、を有し、ヘッド２０に択一的に保持した電球ＷＡ，ＷＢに対してヘッド２０が滑るのを粘着部２２で防止した状態で、操作棒１０を回転させることによって、電球ＷＡ，ＷＢを回転させることができる。【選択図】図３
2011070784.tif 000002
【特許請求の範囲】
【請求項１】
手の届かない高所に露出状態で下向きに取り付けられた電球を交換する際に、立てた状態で使用される棒状の電球交換器具において、
人手により下端側が回転操作される操作棒と、
前記操作棒の上端に椀状に設けられ、内周面において球状電球と扁平電球とを択一的に保持する電球保持体と、を備え、
前記電球保持体は、
前記内周面のうちの下側に設けられて、前記球状電球の電球本体の下部を略下方から支持する球状電球支持面と、
前記内周面のうちの上側に、前記球状電球支持面の上端縁に沿って環状に設けられて、前記扁平電球の電球本体の側部を略斜め下方から支持する扁平電球支持面と、
前記内周面を周方向に等分する位置のそれぞれに設けられ、支持状態の前記電球本体に接触して前記球状電球又は前記扁平電球の姿勢を安定させるとともに、前記電球保持体の回転を前記電球本体に伝達する複数の滑り止め部と、を有する、
ことを特徴とする電球交換器具。
【請求項２】
前記球状電球支持面は、前記球状電球の前記電球本体の下部の形状に倣って、略球面の一部によって形成され、
前記扁平電球支持面は、前記扁平電球の前記電球本体の側部の形状に倣って、前記球状電球支持面の上端側を外側に押し広げるようにして環状に形成されている、
ことを特徴とする請求項１に記載の電球交換器具。
【請求項３】
前記滑り止め部は、前記球状電球支持面と前記扁平電球支持面とに位置する部分とが、前記球状電球支持面の前記上端縁を横切って連続して形成されている、
ことを特徴とする請求項１又は２に記載の電球交換器具。
【請求項４】
前記滑り止め部は、前記球状電球支持面における前記電球保持体の中心軸から最も遠い部分及び前記扁平電球支持面における前記中心軸から最も遠い部分に存在する、
ことを特徴とする請求項３に記載の電球交換器具。
【請求項５】
前記滑り止め部は、前記電球本体が着脱可能に粘着される粘着部によって構成されている、
ことを特徴とする請求項１ないし４のいずれか１項に記載の電球交換器具。
【請求項６】
前記滑り止め部は、前記電球保持体の前記内周面を周方向に２等分する位置のそれぞれに設けられている、
ことを特徴とする請求項５に記載の電球交換器具。
【請求項７】
前記滑り止め部は、前記電球保持体の前記内周面を周方向に３等分する位置のそれぞれに設けられている、
ことを特徴とする請求項５に記載の電球交換器具。
【請求項８】
前記電球保持体には、上端の周端縁を覆う緩衝部材が取り付けられている、
ことを特徴とする請求項１ないし７のいずれか１項に記載の電球交換器具。
【請求項９】
前記操作棒は、下端側の可動軸と、上端側の従動軸とに分割されていて、前記可動軸の上部と前記従動軸の下部との間に、電球取り付け時の前記可動軸の過回転力が前記従動軸、前記電球保持体を介して前記電球に伝達されるのを防止する空回り機構を有する、
ことを特徴とする請求項１ないし８のいずれか１項に記載の電球交換器具。
【請求項１０】
前記空回り機構は、前記可動軸の上部と前記従動軸の下部とのうちの、一方に設けられたフランジ部と他方に設けられて前記フランジ部の外周面を覆う包持部と、
前記フランジ部の外周側と前記包持部の内周側との間に周方向に沿って設けられた溝部に配設されたばね部材と、有し、
前記ばね部材は、電球取り付け時の前記可動軸の回転に対しては、一方の端部を前記フランジ部側に係合させるとともに他方の端部を前記包持部側に係合させて、前記可動軸の回転をそのまま前記従動軸に伝達し、電球取り外し時の前記可動軸の回転に対しては、前記可動軸に前記過回転力が加わったときには、前記可動軸との間に滑りを発生させて前記可回転力が前記従動軸に伝達されるのを禁止する、
ことを特徴とする請求項９に記載の電球交換器具。
【請求項１１】
前記操作棒が、長さ方向に分割された複数の分割軸によって構成され、隣接する２つの分割軸の端部相互の間に、前記分割軸相互を着脱可能に接続する接続機構が設けられている、
ことを特徴とする請求項１ないし１０のいずれか１項に記載の電球交換器具。
【請求項１２】
前記球状電球及び前記扁平電球よりも小型の電球を保持する小型電球保持孔を有し、前記扁平電球支持面に着脱可能な小型電球保持体と、
前記小型電球保持体を前記扁平電球支持面に着脱可能に固定するロック機構と、を備えた、
ことを特徴とする請求項１ないし１１のいずれか１項に記載の電球交換器具。
【発明の詳細な説明】
【技術分野】
【０００１】
本発明は、手の届かない高所に取り付けられた電球を交換するのに使用される電球交換器具に関する。
【背景技術】
【０００２】
従来、手の届かない高所に取り付けられた電球は、人が椅子や踏み台に載って腕を伸ばして手で直接まわして緩めてソケットから取り外した後、新規のものを同じく手で直接にソケットにねじ込んで取り付けていた。このため、高齢者、体の不自由な人、妊婦等は、椅子や踏み台に載って電球を交換することが危険であった。また、電球の交換に椅子や踏み台を用意しなければならなかった。
【０００３】
そこで、安全で、椅子や踏み台を用意することなく電球の交換ができる電球交換器具が特許文献１に開示されている。
【０００４】
この電球交換器具は、昇降操作棒の先端に設けられた弾性部材からなる電球把持部と、昇降操作棒の外周に同心状にスライド自在に配置された円筒状のスライド棒と、このスライド棒の先端に設けられた漏斗状の押圧部と、昇降操作棒をスライド棒に引き込む方向に付勢するばねとで構成されている。
【０００５】
通常、電球把持部は、ばねが昇降操作棒をスライド棒に引き込む方向に付勢しているので、押圧部内に引き込まれて窄まされている。電球を交換するとき、昇降操作棒をばねに抗して、スライド棒から押し出すように上昇させると、電球把持部は、押圧部内から出て広がり、電球の略下半分を受け入れることができるようになる。そして、昇降操作棒をばねによって、スライド棒に引き込ませると、電球把持部は、押圧部内に引き込まれて窄まり、ソケットにねじ込まれている電球を把持する。この状態で、昇降操作軸とスライド軸とを一体に回すと電球把持部も一体に回り、電球把持部は電球を把持したまま回転する。この結果、電球をソケットから外すことができる。
【先行技術文献】
【特許文献】
【０００６】
【特許文献１】特許平７−１４５５９号公報
【発明の概要】
【発明が解決しようとする課題】
【０００７】
しかし、従来の電球交換器具は、電球把持部が電球を横方向から把持して押圧部内に多少引き込まれて窄まり、電球を把持するようになっているので、押圧部の形状と異なる電球を把持するのが困難であった。
【０００８】
また、電球把持部が電球を把持する把持力は、電球把持部を押圧部内に引き込むばねによって得ていた。このため、保持力は、強過ぎると電球を割るおそれがあるので、おのずと、交換頻度の多い電球に合わせていた。しかし、その電球より小さい電球の場合、把持力不足が生じて、円滑に電球の交換を行うことができないことがあった。また、逆に、大きい電球の場合、把持力が強くなり、電球を割るおそれがあった。
【０００９】
また、把持部等が可動であるために構造が複雑となり、さらに、昇降操作棒とスライド棒とが二重構造となるために、重さが重いという問題があった。
【００１０】
また、電球の交換中に把持部が緩んだ場合には、電球が大きく姿勢を崩して落下するおそれもあった。
【００１１】
そこで、本発明は、構造が簡単で軽量化が可能でありながら、形状の異なる電球を、交換中に電球の姿勢を崩すことなく安全で確実に交換することができる電球交換器具を提供することを目的とするものである。
【課題を解決するための手段】
【００１２】
請求項１に係る発明は、手の届かない高所に露出状態で下向きに取り付けられた電球を交換する際に、立てた状態で使用される棒状の電球交換器具に関する。この発明に係る電球交換器具は、人手により下端側が回転操作される操作棒と、前記操作棒の上端に椀状に設けられ、内周面において球状電球と扁平電球とを択一的に保持する電球保持体と、を備え、前記電球保持体は、前記内周面のうちの下側に設けられて、前記球状電球の電球本体の下部を略下方から支持する球状電球支持面と、前記内周面のうちの上側に、前記球状電球支持面の上端縁に沿って環状に設けられて、前記扁平電球の電球本体の側部を略斜め下方から支持する扁平電球支持面と、前記内周面を周方向に等分する位置のそれぞれに設けられ、支持状態の前記電球本体に接触して前記球状電球又は前記扁平電球の姿勢を安定させるとともに、前記電球保持体の回転を前記電球本体に伝達する複数の滑り止め部と、を有する、ことを特徴とする電球交換器具。
【００１３】
請求項２に係る発明は、請求項１に係る電球交換器具において、前記球状電球支持面は、前記球状電球の前記電球本体の下部の形状に倣って、略球面の一部によって形成され、前記扁平電球支持面は、前記扁平電球の前記電球本体の側部の形状に倣って、前記球状電球支持面の上端側を外側に押し広げるようにして環状に形成されている、ことを特徴とする。
【００１４】
請求項３に係る発明は、請求項１又は２に係る電球交換器具において、前記滑り止め部は、前記球状電球支持面と前記扁平電球支持面とに位置する部分とが、前記球状電球支持面の前記上端縁を横切って連続して形成されている、ことを特徴とする。
【００１５】
請求項４に係る発明は、請求項３に係る電球交換器具において、前記滑り止め部は、前記球状電球支持面における前記電球保持体の中心軸から最も遠い部分及び前記扁平電球支持面における前記中心軸から最も遠い部分に存在する、ことを特徴とする。
【００１６】
請求項５に係る発明は、請求項１ないし４のいずれか１項に係る電球交換器具において、前記滑り止め部は、前記電球本体が着脱可能に粘着される粘着部によって構成されている、ことを特徴とする。
【００１７】
請求項６に係る発明は、請求項５に係る電球交換器具において、前記滑り止め部は、前記電球保持体の前記内周面を周方向に２等分する位置のそれぞれに設けられている、ことを特徴とする。
【００１８】
請求項７に係る発明は、請求項５に係る電球交換器具において、前記滑り止め部は、前記電球保持体の前記内周面を周方向に３等分する位置のそれぞれに設けられている、ことを特徴とする。
【００１９】
請求項８に係る発明は、請求項１ないし７のいずれか１項に係る電球交換器具において、前記電球保持体には、上端の周端縁を覆う緩衝部材が取り付けられている、ことを特徴とする。
【００２０】
請求項９に係る発明は、請求項１ないし８のいずれか１項に係る電球交換器具において、前記操作棒は、下端側の可動軸と、上端側の従動軸とに分割されていて、前記可動軸の上部と前記従動軸の下部との間に、電球取り付け時の前記可動軸の過回転力が前記従動軸、前記電球保持体を介して前記電球に伝達されるのを防止する空回り機構を有する、ことを特徴とする。
【００２１】
請求項１０に係る発明は、請求項９に係る電球交換器具において、前記空回り機構は、前記可動軸の上部と前記従動軸の下部とのうちの、一方に設けられたフランジ部と他方に設けられて前記フランジ部の外周面を覆う包持部と、前記フランジ部の外周側と前記包持部の内周側との間に周方向に沿って設けられた溝部に配設されたばね部材と、有し、
【００２２】
前記ばね部材は、電球取り付け時の前記可動軸の回転に対しては、一方の端部を前記フランジ部側に係合させるとともに他方の端部を前記包持部側に係合させて、前記可動軸の回転をそのまま前記従動軸に伝達し、電球取り外し時の前記可動軸の回転に対しては、前記可動軸に前記過回転力が加わったときには、前記可動軸との間に滑りを発生させて前記可回転力が前記従動軸に伝達されるのを禁止する、ことを特徴とする。
【００２３】
請求項１１に係る発明は、請求項１ないし１０のいずれか１項に係る電球交換器具において、前記操作棒が、長さ方向に分割された複数の分割軸によって構成され、隣接する２つの分割軸の端部相互の間に、前記分割軸相互を着脱可能に接続する接続機構が設けられている、ことを特徴とする。
【００２４】
請求項１２に係る発明は、請求項１ないし１１のいずれか１項に係る電球交換器具において、前記球状電球及び前記扁平電球よりも小型の電球を保持する小型電球保持孔を有し、前記扁平電球支持面に着脱可能な小型電球保持体と、前記小型電球保持体を前記扁平電球支持面に着脱可能に固定するロック機構と、を備えた、ことを特徴とする。
【発明の効果】
【００２５】
請求項１の発明によれば、電球保持体は、球状電球支持面によって球状電球の電球本体の下部を略下方から支持し、滑り止め部によって球状電球を安定した姿勢で保持することができる。また、扁平電球支持面によって扁平電球の電球本体の側部を略斜め下方から支持し、滑り止め部によって扁平電球を安定した姿勢で保持することができる。つまり、電球保持体は、それぞれ形状の異なる球形電球を扁平電球とを、球形電球支持面又は扁平電球支持面と滑りとめ部によって、択一的に安定した姿勢で保持することができる。
【００２６】
操作棒の下端側を握って回転させると、その回転は、電球保持体を介して、滑り止め部によって電球に伝達することができる。
【００２７】
したがって、電球交換器具は、ソケットにねじ込まれている電球を取り外す際には、操作棒の下端を握って緩み方向（左回り）に回転させることで、電球保持体、滑り止め部を介して電球を緩み方向に回転させてソケットから取り外すことができる。そして、このと取り外し動作中においては、電球が緩んだり、外れたりした場合であっても、球面電球支持面又は扁平電球支持面と滑り止め部とによって電球を安定した姿勢で保持することができるので、取り外し動作を確実に行うことができるとともに、たとえ、操作棒が傾斜した場合であっても、電球が姿勢を崩したり落下したりするおそれがないため、電球の取り外しを安全で確実に行うことができる。
【００２８】
一方、電球交換器具は、電球をソケットにねじ込んで取り付ける際には、まず、球状電球支持面又は扁平電球支持面と滑り止め部とによって電球を安定した姿勢で保持する。この状態で、操作棒を立てて、その下端側を握って締め付け方向（右回り）に回転させることで、電球保持体、滑り止め部を介して電球を締め付け方向に回転させてソケットに取り付けることができる。この取り付け動作中においても、球状電球支持面又は扁平電球支持面と滑り止め部とによって電球を安定した姿勢で保持することができるので、取り付け動作中に電球が姿勢を崩したり、落下したりするおそれがないため、電球の取り付けを安全で確実に行うことができる。
【００２９】
また、電球を保持するための可動部分が不要となるので、構造を簡素化することができる。
【００３０】
また、昇降操作棒とスライド棒とが必要な従来例に比較して、軽量化することが可能である。
【００３１】
請求項２の発明によれば、球形電球支持面が球状電球の電球本体の下部に倣って、略球面の一部によって形成され、また、扁平電球支持面が扁平電球の電球本体の側部に倣って、環状に形成されていて、電球保持体は、電球本体に対して広い面積で接触することになるので、回転時に電球保持体から電球本体に作用する力を分散させて、電球が割れにくいようにすることができる。
【００３２】
請求項３の発明によれば、滑り止め部のうちの、球状電球支持面に位置する部分と扁平電球支持面に位置する部分とが、球状電球支持面の上端縁を横切って連続して形成されているので、滑り止め部の構造を簡略化して、その製造を容易にすることができる。
【００３３】
請求項４の発明によれば、滑り止め部は、球状電球支持面及び扁平電球支持面のうちの、中心軸から最も遠い部分に存在するので、操作棒を回転させた際に、電球保持体、滑り止め部を介して、電球に大きな回転力（トルク）を伝達することができる。
【００３４】
請求項５の発明によれば、滑り止め部は、粘着部によって構成されているので、球状電球については球状電球支持面で電球本体を支持するとともに、粘着部に粘着させることで、安定した姿勢を保持することができ、扁平電球については扁平電球支持面で電球本体を支持するとともに、粘着部に粘着させることで、安定した姿勢を保持することができる。また、粘着部から電球本体を引き剥がすことも可能である。
【００３５】
請求項６の発明によれば、滑り止め部としての粘着部が、電球保持体の内周を２等分する位置のそれぞれに設けられているので、２箇所の粘着部によって電球の姿勢を安定的に保持するとともに、これらの粘着部を介して電球保持体の回転を円滑で確実に電球に付与することができる。
【００３６】
請求項７の発明によれば、滑り止め部としての粘着部が、電球保持体の内周を３等分する位置のそれぞれに設けられているので、３箇所の粘着部によって２箇所の場合よりもさらに電球の姿勢を安定的に保持するとともに、これらの粘着部を介して電球保持体の回転を円滑で確実に電球に付与することができる。また、粘着部が３箇所の場合は、１か所についての粘着力を２箇所の場合と比較して、例えば、全体としての粘着力を同じに確保した場合であっても、１箇所の粘着力を低減することができるので、その分、粘着部から電球本体を引き剥がすのが容易となる。
【００３７】
請求項８の発明によれば、椀状に形成された電球保持体の上端の周端縁に緩衝部材が取り付けられているので、例えば、電球の取り外し時に、電球本体に電球保持体が当たった場合でも、緩衝部材によってショックを低減することができる。
【００３８】
請求項９の発明によれば、空回り機構によって、可動軸の過回転力が電球本体に伝達されるのを禁止することができるので、電球本体が割れたり、締め付けすぎによって球状電球や扁平電球が外れなくなったりすることを防止できる。
【００３９】
請求項１０の発明によれば、空回り機構は、電球取り付け時には、フランジ部と包持部との双方にばね部材が係合することにより、可動軸の回転をそのまま従動軸に伝達する一方、電球取り外し時には、駆動軸の過回転力に対してはフランジ部とばね部材との間で滑りが発生して、可回転力が電球本体に伝達されるのを防止できる。
【００４０】
請求項１１に発明によれば、操作棒は、複数の分割軸を接続部材によって着脱することにより、簡単に長さ調整をすることができる。
【００４１】
請求項１２に記載の発明は、小型電球保持体をロック機構によって電球保持体に着脱可能に取り付けることにより、小型電球の取り付け・取り外しが可能となる。
【図面の簡単な説明】
【００４２】
【図１】（Ａ）〜（Ｃ）は、実施形態１の電球交換器具１を説明する図であり、（Ａ）は平面図、（Ｂ）は正面図、（Ｃ）は一部破断正面図である。
【図２】電球交換器具１のヘッド（電球保持体）２０が球状電球ＷＡ（実線で図示）又は扁平電球ＷＢ（二転鎖線で図示）を保持した状態を示す正面拡大図である。
【図３】（Ａ）〜（Ｃ）は、ヘッド２０の拡大図であり、（Ａ）は平面図、（Ｂ）は球状電球ＷＡ、扁平電球ＷＢ（いずれも二点鎖線で図示）を取り付けた状態の正面断面図、（Ｃ）は（Ａ）中のＡ−Ａ線矢視拡大図である。
【図４】（Ａ）〜（Ｃ）は、実施形態２の電球交換器具２を説明する図であり、（Ａ）は平面図、（Ｂ）は正面図、（Ｃ）は一部破断正面図である。
【図５】空回り機構１４を説明する図であり、（Ａ）は可動軸１２Ｄを回転させていないときの正面断面図、（Ｂ）は（Ａ）中のＧ−Ｇ線矢視断面図、（Ｃ）は可動軸１２Ｄを、電球ＷＡ，ＷＢの緩み方向（矢印Ｌ方向：左回り）に回転させたときの正面断面図、（Ｄ）は（Ｃ）中のＨ−Ｈ線矢視断面図、（Ｅ）は可動軸１２Ｄを、電球ＷＡ，ＷＢの締め付け方向（矢印Ｒ方向：右回り）に回転させて空転しているときの正面断面図、（Ｆ）は（Ｅ）中のＪ−Ｊ線矢視断面図である。
【図６】操作棒１０の長さを調節する接続機構１５を説明する図であり、（Ａ）は正面図、（Ｂ）は（Ａ）の断面図（正面断面図）、（Ｃ）は右側面図、（Ｄ）は（Ｃ）の断面図（右側面断面図）、（Ｅ）は（Ｃ）中のＫ−Ｋ矢視断面図、（Ｆ）は（Ｃ）中のＭ−Ｍ矢視断面図、（Ｇ）は左側面図、（Ｈ）は（Ｇ）の断面図（左側面断面図）である。なお、図６においては、断面のハッチングは省略している。
【図７】実施形態３において、電球ＷＡ，ＷＢよりも小型の小型電球（不図示）を交換できる小型電球用ヘッド（小型電球保持体）５１と、ロック機構５２とを説明する図であり、（Ａ）は平面図、（Ｂ）は正面断面図、（Ｃ）は（Ｂ）のロック機構５２の右側面図である。
【発明を実施するための形態】
【００４３】
以下、本発明の実施形態を図面に基づき詳述する。なお、各図面において、同じ符号を付した部材等は、同じ構成のものであり、これらについての重複説明は適宜省略するものとする。また、各図面においては、説明に不要な部材等は適宜、図示を省略している。
＜実施形態１＞
【００４４】
以下、図１〜図３を参照して、本発明を適用した実施形態１の電球交換器具１について説明する。ここで、図１（Ａ）〜（Ｃ）は、電球交換器具１を説明する図であり、（Ａ）は平面図、（Ｂ）は正面図、（Ｃ）は一部破断正面図である。図２は、電球交換器具１のヘッド（電球保持体）２０が球状電球ＷＡ（実線で図示）又は扁平電球ＷＢ（二転鎖線で図示）を保持した状態を示す正面拡大図である。図３（Ａ）〜（Ｃ）は、ヘッド２０の拡大図であり、（Ａ）は平面図、（Ｂ）は球状電球ＷＡ、扁平電球ＷＢ（いずれも二点鎖線で図示）を取り付けた状態の正面断面図、（Ｃ）は（Ａ）中のＡ−Ａ線矢視拡大図である。
【００４５】
ここで、電球交換器具１が交換対象（着脱対象）とする球状電球ＷＡ、扁平電球ＷＢについて説明する。図２に示すように、球状電球ＷＡは、天井Ｔに設けられたソケットＳに螺合されるねじ部ＷＡａと、下部が略半球状の電球本体ＷＡｂとを有している。球状電球ＷＡとしては、例えば、電球型蛍光灯（パルックボール（登録商標））があげられる。一方、扁平電球ＷＢは、球状電球ＷＡ用のソケットＳとは異なるソケットＳに螺合されるねじ部ＷＢａと、下部が球形を上下方向の押し潰したような扁平形状の電球本体ＷＢｂとを有している。扁平電球ＷＢとしては、例えば、レフ電球があげられる。これらの球状電球ＷＡ、扁平電球ＷＢは、電球本体ＷＡｂ，ＷＢｂよりも、ねじ部ＷＡａ，ＷＢａの方が重く、重心が高い位置にあるため、交換中に姿勢を崩さないように、しっかりと保持することが肝要である。一方、電球本体ＷＡｂ，ＷＢｂは、例えば、薄手のガラス、あるいはこれと同等の合成樹脂によって形成されていて、大きな力が作用した場合には、割れるおそれがあるので、必要以上の力が作用しないようにすることも肝要である。
【００４６】
なお、以下の説明で、特に球状電球ＷＡと扁平電球ＷＢとを区別する必要がない場合には、適宜、電球ＷＡ，ＷＢといい、電球一般についていうときは、単に、電球という。
本実施形態の電球交換器具１は、手の届かない高所に露出状態で下向きにソケットＳにねじ込まれている電球ＷＡ，ＷＢを、椅子や踏み台等を使用することなく取り外し、また、新規のものを取り付ける器具、つまり、形状の異なる電球ＷＡ，ＷＢのいずれも交換することができる器具である。また、電球交換器具１は、電球を横方向から把持する従来のものと比較して、交換時に電球ＷＡ，ＷＢが割れにくい。また、従来のものと比較して、交換中に電球ＷＡ，ＷＢの姿勢が変化しにくく、バランスを崩して落下する等の事故を有効に防止することができる。
【００４７】
以下、電球交換器具１について詳述する。
【００４８】
電球交換器具１は、図１に示すように、中心軸Ｃに沿って棒状に長く延びて、使用時には長手方向を上下方向に向けた立てた状態で使用される操作棒１０と、この操作棒１０の上端（先端）に開口部を上に向けて取り付けられた椀状のヘッド（電球保持体）２０とを備えている。
【００４９】
操作棒１０は、中心軸Ｃに沿って延びる棒本体１２と、この棒本体１２の下端に設けられたグリップ１１とを有している。
【００５０】
棒本体１２は、例えば、ステンレス，アルミニウム等の金属パイプによって形成されていて、中心軸Ｃに直交する断面が円形に形成されている。棒本体１２は、図３に示すように、上端１２ａが後述するヘッド２０の取付部２４に嵌合されている。一方、図１に示すように、棒本体１２の下端（基端部）には、例えば、ゴム等によって滑り止めが施されたグリップ１１が取り付けられている。ユーザは、電球交換器具１を使用する際には、図１（Ｂ）に示すように、この操作棒１０を立てた状態でグリップ１１を把持し、操作棒１０を左回り（矢印Ｌ方向）に回転させることにより、ヘッド２０を左回り（電球ＷＡ，ＷＢの緩み方向）に回転させ、また、右回り（矢印Ｒ方向）に回転させることで、ヘッド２０を右回り（電球ＷＡ，ＷＢの締め付け方向）に回転させることができる。
【００５１】
ヘッド２０は、図２に示すように、操作棒１０の上端に固定されており、椀状に形成されたヘッド本体２１と、滑り止め部としての粘着部２２と、緩衝部材２３とを有している。
【００５２】
ヘッド本体２１は、中心軸Ｃを中心とした回転体によって、上方に向けて開口された椀状に形成されており、機能的に４つの部分、すなわち、下方から上方に向かって順に、取付部２４、下部２５、中間部２６、上部２７とに分かれている。ヘッド本体２１は、例えば、合成樹脂（プレスチック）によって形成されている。
【００５３】
取付部２４は、内側に、下方に向けて開口する嵌合穴２４ａが形成されていて、この嵌合穴２４ａに、上述の棒本体１２の先端部１２ａが挿入されて嵌合されている。
【００５４】
ヘッド本体２１の内周面は、中心軸Ｃからの距離（中心軸Ｃを基準とした半径）が、上側に位置する部分ほど大きくなるように形成されていて、下方から順に、下部２５の内周面である球状電球支持面２５ａと、中間部２６の内周面である扁平電球支持面２６ａと、上部２７の内周面である緩衝部材支持面２７ａとが連続して形成されている。
【００５５】
球状電球支持面２５ａは、球状電球ＷＡの電球本体ＷＡｂの下部の形状に倣って、略球面の一部によって形成されている。このため、球状電球ＷＡは、電球本体ＷＡｂの下部が、球状電球支持面２５ａに密着して広い面積で略下方から支持されることになり、球状電球ＷＡの交換時に、球状電球支持面２５ａから電球本体ＷＡｂに作用する力を分散させて、電球本体ＷＡｂを割れにくくすることができる。球状電球支持面２５ａの上端縁２５ｂは、扁平電球支持面２６ａとの境界線を構成するものであり、内側に向かって凸状の円形に形成されている。
【００５６】
扁平電球支持面２６ａは、扁平電球ＷＢの電球本体ＷＢｂの側部の形状に倣って、球状電球支持面２５ａの上端縁２５ｂに沿った環状に形成されている。扁平電球支持面２６ａは、球状電球支持面２５ａの上端側を外側に押し広げたように形成されており、図３（Ｂ）に示す断面形状においても、電球本体ＷＢｂの側部の形状に倣った曲線状に形成されている。このため、扁平電球ＷＢは、電球本体ＷＢｂの側部が、扁平電球支持面２６ａに密着して広い面積で略斜め下方から支持されることになり、球状電球ＷＢの交換時に、扁平電球支持面２６ａから電球本体ＷＢｂに作用する力を分散させて、電球本体ＷＢｂを割れにくくすることができる。球状電球支持面２５ａの上端縁２６ｂは、緩衝部材支持面２７ａとの境界線を構成するものであり、円形に形成されている。
【００５７】
緩衝部材支持面２７ａは、上端縁２６ｂを介して扁平電球支持面２６ａに連続する環状に形成されている。本実施形態においては、緩衝部材支持面２７ａは、上端縁２６ｂを介して扁平電球支持面２６ａに滑らかに連続するように構成されている。このため、上端縁２６ｂは、形状的には区別できるものではないが、扁平電球ＷＢの電球本体ＷＢｂに接触する面である扁平電球支持面２６ａのうちの最上位に位置する部分を上端縁２６ｂと決めている。このように決めると、上端縁２６ｂの上側に位置する緩衝部材支持面２７ａは、電球本体ＷＢｂの側部に接触することなく、上側に位置する部分ほど側部との間の隙間が広くなる。緩衝部材支持面２７ａの上端は、周端縁２７ｂとなっている。
【００５８】
上述のように、ヘッド本体２１の内周面は、機能上、２箇所の上端縁２５ｂ，２６ｂを境界として、下方から順に３つ部分、すなわち、球状電球支持面２５ａ、扁平電球支持面２６ａ、緩衝部材支持面２７ａに分割されている。そして、これら３つの面に対しては、球状電球ＷＡは、その電球本体ＷＡｂが球状電球支持面２５ａにのみ接触し、扁平電球ＷＢは、その電球本体ＷＢｂが扁平電球支持面２６ａにのみ接触するようになっている。
【００５９】
図３（Ｂ）に示すヘッド２０の深さＸは、重みのある球状電球ＷＡであっても、落下させることなく保持するのに最低限必要な深さに設定されている。また、電球ＷＡ，ＷＢを交換するとき、ヘッド本体２１の周端縁２７ｂがソケットＳを設けてある天井Ｔに当接しない深さＸに設定されている。
【００６０】
さらに、ヘッド２０の深さＸと外径Ｙは、天井Ｔに設けられたソケットＳに電球ＷＡ，ＷＢを着脱する際、ソケットＳと電球ＷＡ，ＷＢのねじ部ＷＡａ，ＷＢａとをユーザが下から見上げたときに、ソケットＳの入口とねじ部ＷＡａ，ＷＢａとが周端縁２７ｂを覆う後述の緩衝部材２３によって見えにくくならない寸法に設定されている。
【００６１】
ここで、球状電球支持面２５ａは、球状電球ＷＡの電球本体ＷＡｂを略下方から、また、扁平電球支持面２６ａは、扁平電球ＷＢの電球本体ＷＢｂを略斜め下方から支持することはできるが、上述のように、交換時の電球ＷＡ，ＷＢは、比較的高い位置に重心があるので、交換時の電球ＷＡ，ＷＢを安定した正しい姿勢に保持することは困難である。例えば、電球ＷＡ，ＷＢは、交換時に上述の操作棒１０が傾斜した場合には、姿勢を崩して、極端な場合には落下するおそれがある。なお、正しい姿勢とは、電球ＷＡ，ＷＢの中心軸が、電球交換器具１の中心軸Ｃと一致することをいう。
【００６２】
本実施形態では、次に説明する粘着部２２によって、電球ＷＡ，ＷＢが正しい姿勢を維持するようにしている。
【００６３】
粘着部（滑り止め部）２２は、図３（Ａ）に示すように、ヘッド２０の内周面を周方向に等分する位置のそれぞれに設けられている。本実施形態では、２等分する位置のそれぞれに設けられている。粘着部２２は、例えば、粘着剤が両面に塗布された両面テープをヘッド本体２１の内周面に貼着することで構成することができる。すなわち、粘着部２２は、図３（Ｃ）に示すように、両面テープを適宜な長さに切って、一方の端部（上端）２２ａがヘッド本体２１の上部２７の周端縁２７ｂ近傍に位置し、中間部が緩衝部材支持面２７ａから上端縁２６ｂを超えて扁平電球支持面２６ａに貼着され、さらに、上端縁２５ｂを超えて球状電球支持面２５ａにまで延びるように貼着されて、他方の端部（下端）２２ｂが上端縁２５ｂよりも下方に位置するように構成されている。
【００６４】
粘着部２２は、このように構成すると、扁平電球支持面２６ａと球状電球支持面２５ａとの双方に同時に簡単に設けることができる。また、粘着部２２は、両面テープで構成すれば、厚さを薄くすることができるので、球状電球ＷＡの電球本体ＷＡｂを粘着部２２に粘着させた際に、電球本体ＷＡｂの他の部分が球状電球支持面２５ａに密着されるのを妨げない。同様に、扁平電球ＷＢの電球本体ＷＢｂを粘着部２２に粘着させた際に、電球本体ＷＢｂの他の部分が扁平電球支持面２６ａに密着されるのを妨げない。また、粘着部２２は、扁平電球支持面２６ａにおける中心軸Ｃから最も遠い部分（上端縁２６ａ近傍）と球状電球支持面２５ａにおける中心軸Ｃから最も遠い部分（上端縁２５ａ近傍）との双方に設けることができ、これにより、ヘッド２０の回転を、粘着部２２を介して電球ＷＡ，ＷＢに伝達する際に、大きな回転力を伝達することが可能である。また、粘着部２２が、ヘッド本体２１の内周面を周方向に２等分する位置のそれぞれに設けてあるので、粘着部２２が１箇所である場合や、２箇所ではあるが２等分する位置ではない場合と比較して、ヘッド２０の回転を粘着部２２を介して電球ＷＡ，ＷＢに円滑に伝達することができる。また、粘着部２２が２箇所に設けてあるので、球状電球支持面２５ａ又は扁平電球支持面２６ａで支持した電球本体ＷＡｂ，ＷＢｂを２箇所の粘着部２２に粘着させることで、電球ＷＡ，ＷＢの姿勢を正しく保持するとともに、例えば、電球ＷＡ，ＷＢの交換中に操作棒１０が傾斜した場合であっても、姿勢を崩すことがなく、もちろん落下するおそれもない。さらに、粘着部２２のうちの、緩衝部材支持面２７ａに位置する部分は、後述する緩衝部材２３を固定するのに利用することができる。
【００６５】
ところで、天井ＴのソケットＳから電球ＷＡ，ＷＢを取り外した後、及び電球ＷＡ，ＷＢをソケットＳに取り付けた後には、これら電球ＷＡ，ＷＢを粘着部２２から剥離させることが必要となるため、粘着力は大きすぎないことが要求される。一方、電球ＷＡ，ＷＢの姿勢を正しく保持したり、ヘッド２０に回転力を確実に電球ＷＡ，ＷＢに伝達したりするためには、小さすぎないことが要求される。
【００６６】
そこで、粘着部２２は、粘着テープ２２の粘着剤自体の粘着力が異なるものを使用したり、粘着テープの幅（ヘッド本体２１の周方向に沿っての幅）を変更したり、配設箇所を２箇所ではなく３箇所以上にしたりすることで、全体としての粘着力を調整する。
例えば、粘着部２２を、ヘッド本体２１の内周面を周方向に３等分する位置のそれぞれに設けた場合には、２箇所の場合と比較して、全体としての粘着力は同じであっても、１箇所ごとの粘着部２２の粘着力を小さくすることができるので、電球ＷＡ，ＷＢを剥離しやすくすることができ、また、ヘッド２０の回転を一層円滑に電球ＷＡ，ＷＢに伝達できるとともに、電球ＷＡ，ＷＢの姿勢をより安定させることが可能である。
【００６７】
なお、実際には、粘着テープの幅を適宜に設定することにより、粘着部２２は、ヘッド本体２１の内周面を周方向に２等分する位置にそれぞれ設ければ十分である。また、上述では粘着部２２が緩衝部材支持面２７ａにも存在する場合を例に説明したが、粘着部２２は、ここにはなくて、扁平電球支持面２６ａと球状電球支持面２５ａとに存在するようにしてもよい。
【００６８】
緩衝部材２３は、ヘッド本体２１の上部２７の周端縁２７ｂを覆うように設けられている。緩衝部材２３は、図３（Ｃ）に示すように、外側端部２３ａがヘッド本体２１の上部２７の外周面側に回り込み、中間部が周端縁２７ｂを覆って、内側端部２３ｂが上端縁２６ｂと略同じかこれよりも少し上に位置するように配置されている。緩衝部材２３は、この状態で、周端縁２７ｂを全周にわたって覆うように構成されている。したがって、緩衝部材２３のうちの、粘着部２２に対応する部分は、この粘着部２２によって固定されることになる。緩衝部材２３は、例えば、スポンジによって構成されている。緩衝部材２３は、その内側端部２３ｂが扁平電球支持面２６ａにはかからないので、扁平電球支持面２６ａに扁平電球ＷＢの電球本体ＷＢｂの側部が密着される際に、その妨げにならない。また、緩衝部材２３のうちの、緩衝部材支持面２７ａ上に位置する部分は、扁平電球支持面２６ａに扁平電球ＷＢの電球本体ＷＢｂの側部が密着される際に、この密着される側部よりも少し上の側部と、緩衝部材支持面２７ａとの間に挟み込まれて圧縮される。これにより、扁平電球ＷＢを一層確実の保持することが可能となる。このように、緩衝部材２３がヘッド本体２１の上部２７の周端縁２７ｂを覆うように設けられているので、特に、電球ＷＡ，ＷＢをソケットＳから取り外す際に、周端縁２７ｂが直接、電球本体ＷＡｂ，ＷＢｂに当たって、割ったりするおそれがない。
【００６９】
以上の構成の電球交換器具１によって球状電球ＷＡをソケットＳに着脱する動作を説明する。
【００７０】
球状電球ＷＡをソケットＳに取り付ける場合、ヘッド２０の球状電球支持面２１により球状電球ＷＡを支持し、さらに粘着部２２に貼着する。これにより、球状電球ＷＡは、ヘッド２０によって正しい姿勢で保持される。この状態で、球状電球ＷＡのねじ部ＷＡａをソケットＳに挿入して、操作棒１０を右回りに回転させる。すると、ヘッド２０と球状電球ＷＡは、互いに滑ることなく、粘着部２２によって一体に回転して、球状電球ＷＡはソケットＳにねじ込まれる。
【００７１】
球状電球ＷＡをソケットＳから取り外す場合、球状電球ＷＡにヘッド２０の球状電球支持面２１を球状電球ＷＡに当接させて、さらに、粘着部２２を球状電球２２に粘着させる。その後、操作棒１０を左回りに回転させる。ヘッド２０と球状電球ＷＡは、互いに滑ることなく、粘着部２２によって一体に回転して、球状電球ＷＡはソケットＳから外れる。球状電球ＷＡはソケットＳから外れた後も、粘着部２２によって正しい姿勢が保持され、かつ、姿勢を崩して落下するようなことはない。
【００７２】
この一連の交換動作において、電球交換器具１は、球状電球支持面２１が球状電球ＷＡの電球本体ＷＡｂの下部に倣って形成されているので、電球本体ＷＡｂに加わる押圧力を分散させることができ、これにより、球状電球ＷＡが割れにくくなる。また、フィット感と安定感があるので、球状電球ＷＡをソケットＳに対して安定した正しい姿勢で回転させて交換し易いという特徴がある。
【００７３】
一方、扁平電球ＷＢをソケットＳに取り付ける場合、扁平電球支持面２２によって扁平電球ＷＢを保持し、さらに、扁平電球ＷＢを粘着部２２に粘着させる。これにより、扁平電球ＷＢは、ヘッド２０によって正しい姿勢で保持される。扁平電球ＷＢのねじ部ＷＢｂをソケットＳに挿入して、操作棒１０を右回りに回転させる。すると、ヘッド２０と扁平電球ＷＢは、粘着部２２によって互いに滑ることなく一体に回転する。この結果、扁平電球ＷＢはソケットＳにねじ込まれる。
【００７４】
扁平電球ＷＢをソケットＳから取り外す場合、ソケットＳにねじ込まれている扁平電球ＷＢに扁平電球支持面２２を押し付け、さらに、粘着部２２を扁平電球ＷＢに粘着する。その後、操作棒１０を左回りに回転させる。ヘッド２０と扁平電球ＷＢは、粘着部２２によって互いに滑ることなく一体に回転する。この結果、扁平電球ＷＢはソケットＳから外れる。
【００７５】
この一連の交換動作において、電球交換器具１は、扁平電球支持面２６ａが、扁平電球ＷＢの電球本体ＷＢｂの側部の形状に倣って形成されていて電球本体ＷＢｂに密着するので、電球本体ＷＢｂに加わる押圧力を分散させて、電球本体ＷＢｂを割れにくくすることができる。また、フィット感と安定感があるので、扁平電球ＷＢをソケットＳに対して安定した正しい姿勢を保持した状態で回転させて交換し易いという特徴がある。
【００７６】
また、電球交換器具１は、ソケットＳにねじ込まれている電球ＷＡ，ＷＢを取り外す際に、周端縁２７ｂが電球本体ＷＡｂ，ＷＢｂにぶつかるようなことがあっても、周端縁２７ａを覆う緩衝部材２３が電球本体ＷＡｂ，ＷＢｂにぶつかるので、電球本体ＷＡｂ，ＷＢｂが割れにくい。
＜実施形態２＞
【００７７】
図４〜図６を参照して、本発明を適用して実施形態２の電球交換器具２について説明する。なお、ヘッド（電球保持体）２０については、実施形態１のものと同様であるので説明は適宜、説明は省略する。
【００７８】
ここで、図４（Ａ）〜（Ｃ）は、電球交換器具２を説明する図であり、（Ａ）は平面図、（Ｂ）は正面図、（Ｃ）は一部破断正面図である。図５は、空回り機構１４を説明する図であり、（Ａ）は可動軸１２Ｄを回転させていないときの正面断面図、（Ｂ）は（Ａ）中のＧ−Ｇ線矢視断面図、（Ｃ）は可動軸１２Ｄを、電球ＷＡ，ＷＢの緩み方向（矢印Ｌ方向：左回り）に回転させたときの正面断面図、（Ｄ）は（Ｃ）中のＨ−Ｈ線矢視断面図、（Ｅ）は可動軸１２Ｄを、電球ＷＡ，ＷＢの締め付け方向（矢印Ｒ方向：右回り）に回転させて空転しているときの正面断面図、（Ｆ）は（Ｅ）中のＪ−Ｊ線矢視断面図である。図６は、操作棒１０の長さを調節する接続機構１５を説明する図であり、（Ａ）は正面図、（Ｂ）は（Ａ）の断面図（正面断面図）、（Ｃ）は右側面図、（Ｄ）は（Ｃ）の断面図（右側面断面図）、（Ｅ）は（Ｃ）中のＫ−Ｋ矢視断面図、（Ｆ）は（Ｃ）中のＭ−Ｍ矢視断面図、（Ｇ）は左側面図、（Ｈ）は（Ｇ）の断面図（左側面断面図）である。なお、図６においては、断面のハッチングは省略している。
【００７９】
図４に示すように、操作棒１０は、長さ方向に３つの分割軸１２Ａ，１２Ｂ，１２Ｃに分割されている。各分割軸１２Ａ，１２Ｂ，１２Ｃは、接続機構１５によって、着脱自在に接続されている。さらに、最上位の分割軸１２Ａは、長さ方向に可動軸１２Ｄと従動軸１２Ｅとに分割されて空回り機構１４によって接続されている。
【００８０】
空回り機構１４は、ユーザが操作棒１０を回転させる側となる可動軸１２Ｄとヘッド２０が設けられた従動軸１２Ｅとの間に設けられている。
【００８１】
図５（Ａ）〜（Ｆ）に示すように、空回り機構１４は、可動軸１２Ｄの上端部に太径に形成されたフランジ部３１と、従動軸１２Ｅに設けられてフランジ部３１を包持する包持部３２と、フランジ部３１の外周と包持部３２の内周の間に保持されたＣ字状のばね部材３３とによって構成されている。
【００８２】
包持部３２は、弾性変形してフランジ部３１とばね部材３３とを受け入れて、包持して可動軸１２Ｄと従動軸１２Ｅとを接続するようになっている。
【００８３】
フランジ部３１の外周の一部分（略１／４周分）には、駆動溝３４が形成されている。駆動溝３４は、可動軸１２Ｄの右回り（図４（Ｂ），図５（Ｆ）中の矢印Ｒ方向）に深さが徐々に深くなり、終端が段部３４ａになっている。包持部３２の内周には、従動軸１２Ｅの右回り（図４（Ｂ），図５（Ｄ）中の矢印Ｒ方向）に深さが一定で、ばね部材３３を保持する保持溝３６（略１／２周分）と、保持溝３６に連続して従動軸１２Ｅの右回りに深さが徐々に深くなるばね逃げ溝３８とが形成されている。ばね逃げ溝３８の終端が段部３８ａになっている。図５（Ｂ），（Ｄ）に示す状態では、駆動溝３４とばね逃げ溝３８とは、段部３４ａ，３８ａ相互を一致させた状態で互いに対向するように形成されている。
【００８４】
Ｃ字状のばね部材３３は、フランジ部３１を締め付ける方向に弾性を備えている。ばね部材３３の一端には、駆動溝３４とばね逃げ溝３８との段部３４ａ，３８ａに同時に当接（係合）する頭部３３ａが形成されている。
【００８５】
以上の構成の空回り機構１４は、球状電球ＷＡと扁平電球ＷＢとのいずれの電球ＷＡ，ＷＢであっても、電球ＷＡ，ＷＢをソケットＳから取り外すとき、図５（Ａ）、（Ｂ）に示す状態から、図５（Ｃ）、（Ｄ）に示すように、可動軸１２Ｄを矢印Ｌ方向に回転させると、駆動溝３４の段部３４ａがばね部材３３の頭部３３ａに当接し、ばね部材３３の尾部３３ｂが保持溝３６の段部３６ａに当接（係合）して、従動軸１２Ｅも矢印Ｌ方向に回転する。従動軸１２Ｅは、矢印Ｌ方向に回転して電球ＷＡ，ＷＢをソケットＳから取り外す。
【００８６】
電球ＷＡ，ＷＢをソケットＳに取り付けるとき、図５（Ａ），（Ｂ）に示す状態、あるいは、図５（Ｃ）、（Ｄ）に示す状態から可動軸１２Ｄを矢印Ｒ方向に回転させると、弾性によって可動軸１２Ｄを締め付けているばね部材３３が可動軸１２Ｄと一体に矢印Ｒ方向に回転して、ばね部材３３の頭部３３ａがばね逃げ溝３８の段部３８ａを押圧して摩擦力により従動軸１２Ｅを矢印Ｌ方向に回転させ、電球ＷＡ，ＷＢをソケットＳにねじ込む。
【００８７】
電球ＷＡ，ＷＢがソケットＳにねじ込まれて、それ以上回転しなくなった状態で、可動軸１２Ｄをさらに矢印Ｒ方向に回転させると、従動軸１２Ｅの回転が阻止されて、可動軸１２Ｄが回転する。すると、図５（Ｅ），（Ｆ）に示すように、可動軸１２Ｄを締め付けているばね部材３３は、回転阻止されている従動軸１２Ｅのばね逃げ溝３８の段部３８ａに当接して回転を阻止される。したがって、可動軸１２Ｄのみ矢印Ｒ方向に回転する。この結果、可動軸１２Ｄの過回転力は、従動軸１２Ｅに伝達されることがなく、電球ＷＡ，ＷＢを無理に回転させてソケットＳにねじ込みすぎてとれなくなったり、割れたりするおそれを少なくすることができる。
【００８８】
図４に示すように、操作棒１０は、長さ方向に３分割されて、分割された分割軸１２Ａ，１２Ｂ，１２Ｃの端部相互の間に、分割軸相互を着脱可能に接続する接続機構１５が設けられている。接続機構１５は、３本の分割軸１２Ａ，１２Ｂ，１２Ｃのうち、１〜３本を自由に使用できるようにして、電球ＷＡ，ＷＢの取り付け高さ位置に合わせて、操作棒１０の長さを調節できるようになっている。
【００８９】
操作棒１０は、相互の接続部分が断面楕円形のパイプ状に形成されている。接続機構１５は、図４（Ｃ）において、分割された３つの分割軸１２Ａ，１２Ｂ，１２Ｃ相互を接続するため、各分割軸１２Ａ，１２Ｂ，１２Ｃの間に設けられている。２つの接続機構１５は、同一機構であるので、１番上の分割軸１２Ａと上から２番目の分割軸１２Ｂとを接続する接続機構１５について説明をして、他の接続機構１５の説明は、省略する。このため、以下、１番上の分割軸１２Ａを上位の分割軸１２Ａ、上から２番目の分割軸１２Ｂを下位の分割軸１２Ｂと言う。
【００９０】
上位の分割軸１２Ａの下端部分１２Ａａは、下位の分割軸１２Ｂの上端部分１２Ｂａに挿入できるように細く形成された細径部１２Ａｂになっている。上位の分割軸１２Ａの中間部分と細径部１２Ａｂとの境目は、段部１２Ａｃになっている。上位の分割軸１２Ａの下端部分１２Ａａを下位の分割軸１２Ｂの上端部分１２Ｂａに挿入したとき、分割軸１２Ａ，１２Ｂ相互は、段部１２Ａｃに受け止められて、接続された状態になる。しかも、両方の分割軸１２Ａ，１２Ｂとも断面が楕円に形成されているので、電球ＷＡ，ＷＢの交換時に、操作棒１０を回しても、分割軸１２Ａ，１２Ｂ相互は、互いに空回りすることなく、一体に回転するようになっている。
【００９１】
分割軸１２Ａ，１２Ｂ相互をつなげたとき、分割軸１２Ａ，１２Ｂ相互が抜けないように、抜け止め部材４１が下位の分割軸１２Ｂの上端部分１２Ｂａに設けられている。抜け止め部材４１は、樹脂製であり、断面楕円形に形成されて、扁平な部分に軸方向に沿ってスリット４１ａが形成され、上位の分割軸１２Ａの下端部分１２Ａａと下位の分割軸１２Ｂの上端部分１２Ｂａとに密着させて双方の分割軸１２Ａ，１２Ｂを遊びがないように把持して、接続するようになっている。
【００９２】
そして、抜け止め部材４１は、内側に突設された突起４２が下位の分割軸１２Ｂの上端部分１２Ｂａに形成された係合孔４３に係合して、下位の分割軸１２Ｂの上端部分１２Ｂａから上方へ抜けないように、下位の分割軸１２Ｂの上端部分１２Ｂａに固定的に設けられている。
【００９３】
抜け止め部材４１は、上位の分割軸１２Ａの下端部分１２Ａａを受け入れるようになっている。抜け止め部材４１は、上位の分割軸１２Ａの下端部分１２Ａａを受け入れたとき、上位の分割軸１２Ａが上方へ抜けないようにするため、抜け止め部材４１に沿って形成された舌片状の弾性を有するロック片４４の突起４５が上位の分割軸１２Ａに形成されたロック孔４６に係合するようになっている。ロック片４４は、引き起こすことができるように抜け止め部材４１に形成されている。上位の分割軸１２Ａの下端部分１２Ａａには、上位の分割軸１２Ａを抜け止め部材４１に挿入したとき、ロック片４４の突起４５をロック孔４６に案内する案内斜面４７が形成されている。
【００９４】
以上の構成の接続機構１５による、分割軸１２Ａ，１２Ｂ相互の接続、分離を説明する。抜け止め部材４１は、突起４２が係合孔４３に係合されて、下位の分割軸１２Ｂの上端部分１２Ｂａに取り付けられて一体化されている。この状態で、上位の分割軸１２Ａの下端部分１２Ａａを抜け止め部材４１に挿入し、上位の分割軸１２Ａの細径部１２Ａｂを下位の分割軸１２Ｂの上端部分１２Ｂａに挿入する。このとき、上位の分割軸１２Ａと下位の分割軸１２Ｂとが断面楕円形に形成されているので、上位の分割軸１２Ａの回転方向の向きを、下位の分割軸１２Ｂの向きに合わせて、細径部１２Ａｂを下位の分割軸１２Ｂの上端部分１２Ｂａに挿入する。挿入に伴って、ロック片４４が一旦外側に弾性変形して、ロック片４４の突起４５が案内斜面４７に案内されてロック孔４６に係合する。これによって、上位の分割軸１２Ａと下位の分割軸１２Ｂとが接続されたことになる。
【００９５】
その後、下位の分割軸１２Ｂを握って回転させると、上位の分割軸１２Ａと下位の分割軸１２Ｂとが断面楕円形に形成されていることと、突起４２が係合孔４３に係合し、ロック片４４の突起４５がロック孔４６に係合していることとによって、上位の分割軸１２Ａと下位の分割軸１２Ｂとが一体に回転する。
双方の分割軸１２Ａ，１２Ｂを分離するには、ロック片４４を上位の分割軸１２Ａから離れる方向に撓ませて弾性変形させる。すると、ロック片４４の突起４５がロック孔４６から抜けて、上位の分割軸１２Ａを抜け止め部材４１から抜き取ることができ、双方の分割軸１２Ａ，１２Ｂを分離することができる。
【００９６】
以上のように、電球交換器具２に接続機構１５を設けると、操作棒１０の長さを電球ＷＡ，ＷＢの交換をし易い長さに調節することができて、ソケットＳから取り外す電球ＷＡ，ＷＢに電球交換器具２をぶつけて電球ＷＡ，ＷＢを割るおそれを少なくすることができる。
＜実施形態３＞
【００９７】
図７を参照して、本発明を適用して実施形態３について説明する。
【００９８】
図７は、電球ＷＡ，ＷＢよりも小型の小型電球（不図示）を交換できる小型電球用ヘッド（小型電球保持体）５１と、ロック機構５２とを説明する図であり、（Ａ）は平面図、（Ｂ）は正面断面図、（Ｃ）は（Ｂ）のロック機構５２の右側面図である。
【００９９】
小型電球用保持体としての小型電球用ヘッド５１は、扁平電球支持面２６ａに装着されて、小型電球を保持できるようにリング状に形成されている。小型電球用ヘッド５１は、太径部５１ａと、細径部５１ｂと、これらの境目に形成された段部５１ｃと、小型電球保持孔５９とで形成されている。
【０１００】
小型電球保持孔５９は、小型電球用ヘッド５１を貫通する貫通孔である。小型電球保持孔５９は、小型電球の形状に合わせて、下方に行くに従って直径が小さくなるように形成されている。なお、小型電球保持孔５９にも、粘着部２２が等間隔に２つ設けられていてもよい。
【０１０１】
ロック機構５２は、小型電球用ヘッド５１を扁平電球支持面２２の先端部に着脱自在に固定するようになっている。ロック機構５２は、ヘッド２０の下部にはめ込まれたリング状のベース金具５５と、ベース金具５５に上下方向に回転自在に設けられたリング状のヘッド固定金具５６と、ベース金具５５の、ヘッド固定金具５６の回転中心部５６ａに対して反対側に上下方向に回転自在に設けられたロック解除金具５７と、一端がロック解除金具５７の中間部分に回転自在に設けられ、他端がヘッド固定金具５６の回転端部５６ｂに係合する方形枠状のロック金具５８とによって構成されている。
【０１０２】
電球交換器具１で小型電球を交換するには、ヘッド２０の扁平電球支持面２６ａに小型電球用ヘッド５１をロック機構５２によって取り付ける。その取り付け動作を説明する。
【０１０３】
まず、ヘッド固定金具５６を扁平電球支持面２６ａから遠ざける方向に回転させておいて、扁平電球支持面２６ａに小型電球用ヘッド５１を装着する。次に、ヘッド固定金具５６を小型電球用ヘッド５１に近付ける方向に回転させる。ロック解除金具５７の回転端部５７ａを上方に回転させてロック解除金具５７を上向きにして、ヘッド固定金具５６の回転端部５６ａにロック金具５８が係合できるようにする。
【０１０４】
そして、ヘッド固定金具５６の回転端部５６ｂにロック金具５８を係合させた状態で、ロック解除金具５７の回転端部５７ａを下方に回転させてロック解除金具５７を下向きにする。すると、ロック金具５８は、ヘッド固定金具５６の回転端部５６ｂに係合したまま、下方に引かれる。そして、ロック金具５８の回転中心５８ａが、ヘッド固定金具５６の回転端部５６ｂとロック解除金具５７の回転中心５７ｂとを結ぶ仮想線Ｌを横切ってヘッド２０側に移動する。この結果、ロック金具５８の回転中心５８ａがデッドポイントを超えたことになるので、ロック機構５２は、ヘッド固定金具５６で、小型電球用ヘッド５１を扁平電球支持面２６ａに押し付けた、図７（Ｂ）に示すロック状態になる。
【０１０５】
電球交換器具１は、ロック機構５２によって扁平電球支持面２６ａに押し付けられて固定された小型電球用ヘッド５１の小型電球保持孔５９に小型電球を保持させて容易に交換することができる。
【０１０６】
電球交換器具１による小型電球の交換動作は、球状電球ＷＡを交換するときの動作と同様であるので、その動作説明は省略する。
【０１０７】
小型ヘッド５１をヘッド２０から取り外すには、ロック解除金具５７を図７（Ｂ）に示す状態から左回転させて、ロック金具５８の回転中心５８ａを仮想線Ｌの左側から右側に移動させる。すると、ロック金具５８をヘッド固定金具５６の回転端部５６ｂから外すことができる。そして、ヘッド固定金具５６を、左回転させて小型ヘッド５１から離間させると小型ヘッド５１をヘッド２０から外すことができる。
【０１０８】
以上のように、本電球交換器具１は、扁平電球支持面２６ａの先端部に小型ヘッド５１をロック機構５２によって着脱自在に固定できるようになっているので、小型ヘッド５１によって小型電球を容易に交換することができる。
【符号の説明】
【０１０９】
１，２  電球交換器具
１０  操作棒
１２  棒本体
１２Ａ，１２Ｂ,１２Ｃ  分割軸
１２Ｄ  可動軸
１２Ｅ  従動軸
１４  空回り機構
１５  接続機構
２０  ヘッド（電球保持体）
２１  ヘッド本体
２２  粘着部（滑り止め部）
２３  緩衝部材
２５ａ  球状電球支持面
２５ｂ  球状電球支持面の上端縁
２６ａ  扁平電球支持面
２６ｂ  扁平電球支持面の上端縁
２７ａ  緩衝部材支持面
２７ｂ  周端縁
３１  フランジ部
３２  包持部
３３  ばね部材
３３ａ  頭部（他方の端部）
３３ｂ  尾部（一方の端部）
５１  小型ヘッド
５２  ロック機構
５９  小型電球保持孔
ＷＡ  球状電球
ＷＡａ  ねじ部
ＷＡｂ  電球本体
ＷＢ  扁平電球
ＷＢａ  ねじ部
ＷＢｂ  電球本体
【図１】
2011070784.tif 000003
【図２】
2011070784.tif 000004
【図３】
2011070784.tif 000005
【図４】
2011070784.tif 000006
【図５】
2011070784.tif 000007
【図６】
2011070784.tif 000008
【図７】
2011070784.tif 000009